(57)【要約】      （修正有）【課題】インナー容器が箱本体から抜けるのを効果的に防止できる弁当容器を提供する。【解決手段】弁当容器は、紙箱の箱本体１にプラスチック製のインナー容器３を傾斜周壁５の内側にセットしており、箱本体の傾斜周壁外面に化粧シート７を接着し、インナー容器には外周壁９の上端縁に沿って鍔部１０を設け、化粧シート７は、傾斜周壁５の外面から内面まで伸びて接着され、内面に接着している化粧シートの下縁を、インナー容器の鍔部１０の係止位置に配置しており、鍔部１０が、傾斜周壁内面に接着している化粧シートの下縁に係止されてインナー容器の抜け落ちが阻止される。【選択図】図２
0003208520.tif 000002
【実用新案登録請求の範囲】
【請求項１】
多角形の箱本体１と蓋２とからなる紙箱と、この紙箱の内部に脱着自在にセットしてなるプラスチック製のインナー容器３とを備える弁当容器であって、
前記箱本体１が、底板４の周囲に、上方開口部に向かって開口面積を大きくする方向に傾斜してなる傾斜周壁５を有すると共に、前記底板４と傾斜周壁５の外面に化粧シート７を接着しており、
前記インナー容器３は、複数に区画された収容部８を有すると共に、外周縁に沿って外周壁９を有し、さらに、前記外周壁９の上端縁には、外側に水平姿勢で突出する鍔部１０を有し、
前記鍔部１０は、前記傾斜周壁５の上縁から下がった位置であって、その外周縁を前記箱本体１の傾斜周壁５の内面に接触し、あるいは接近する位置に配置しており、
前記化粧シート７は、前記傾斜周壁５の外面から表面に沿って前記傾斜周壁５の上縁で折り返されて、前記傾斜周壁５の外側から内面まで伸びて接着され、
前記傾斜周壁５の内面に接着してなる化粧シート７の下縁は、前記インナー容器３に設けてなる前記鍔部１０の係止位置に配置され、
前記インナー容器３の前記鍔部１０が、前記傾斜周壁５の内面に接着してなる前記化粧シート７の下縁に係止されて抜け落ちるのが阻止されるようにしてなる弁当容器。
【請求項２】
請求項１に記載される弁当容器であって、
前記インナー容器３が、プラスチックシートの真空成形してなることを特徴とする弁当容器。
【請求項３】
請求項１又は２に記載される弁当容器であって、
前記インナー容器３が、区画壁１２でもって惣菜収容部と飯収容部とに区画してなることを特徴とする弁当容器。
【請求項４】
請求項１ないし３のいずれかに記載される弁当容器であって、
前記インナー容器３が、前記惣菜収容部と前記飯収容部の底面を箱本体１の底面に載せて、前記鍔部１０を前記傾斜周壁５の内面に接着してなる化粧シート７の下縁の係止位置に配置してなることを特徴とする弁当容器。
【考案の詳細な説明】
【技術分野】
【０００１】
本考案は、紙箱の内部に、インナー容器を入れて惣菜収容部と飯収容部に区画してなる弁当容器に関する。
【背景技術】
【０００２】
紙箱の内側にインナー容器を入れて、内部を惣菜収容部と飯収容部とに区画している弁当容器は開発されている。（特許文献１参照）
【先行技術文献】
【特許文献】
【０００３】
【特許文献１】実願平８−２２９９号公報
【考案の開示】
【考案が解決しようとする課題】
【０００４】
以上の弁当容器は、高級感のある外観の紙箱に、プラスチックシートを真空成形しているインナー容器を入れ、インナー容器でもって、紙箱の内部を惣菜収容部と飯収容部とを設けて、惣菜と飯とを区画して収納でき、さらにプラスチックシートのインナー容器でもって、液漏れしないように収納できる特徴がある。
さらに、以上の弁当容器は、インナー容器をスムーズに能率よく紙箱の定位置にセットでき、また収納している惣菜や飯をユーザーが食べ安いように、周壁を上方開口に向かって大きくするように傾斜させている。
この弁当容器は、高級感があってインナー容器を紙箱に速やかにセットできる特徴があるが、周壁が開口面積を大きくするように傾斜するので、紙箱の内側にセットしてインナー容器が位置ずれしやすい欠点がある。
【０００５】
本考案は、さらに以上の欠点を解決することを目的に開発されたものである。本考案の目的の一は、インナー容器をスムーズに紙箱の定位置にセットしながら、セットされたインナー容器を位置ずれしないように傾斜周壁の内側に配置できる弁当容器を提供することにある。
【課題を解決するための手段及び考案の効果】
【０００６】
本考案の弁当容器は、前述の目的を達成するために以下の構成を備える。
本考案の弁当容器は、多角形の箱本体１と蓋２とからなる紙箱と、この紙箱の内部に脱着自在にセットしてなるプラスチック製のインナー容器３とを備える。箱本体１は、底板４の周囲に、上方開口部に向かって開口面積を大きくする方向に傾斜してなる傾斜周壁５を有し、底板４と傾斜周壁５の外面に化粧シート７を接着している。インナー容器３は、複数に区画された収容部８を有すると共に、外周縁に沿って外周壁９を有し、さらに、外周壁９の上端縁には、外側に水平姿勢で突出する鍔部１０を設けている。鍔部１０は、傾斜周壁５の上縁から下がった位置にあって、その外周縁を箱本体１の傾斜周壁５の内面に接触し、あるいは接近する位置に配置している。化粧シート７は、傾斜周壁５の外面から表面に沿って傾斜周壁５の上縁で折り返されて、傾斜周壁５の外側から内面まで伸びるように接着されて、傾斜周壁５の内面に接着している内面接着部１１の下縁を、インナー容器３に設けている鍔部１０の係止位置に配置している。この弁当容器は、インナー容器３の鍔部１０を、傾斜周壁５の内面に接着している化粧シート７の下縁に係止して抜け落ちるのを防止する。
【０００７】
以上の弁当容器は、インナー容器３をスムーズに紙箱の定位置にセットしながら、セットされたインナー容器３を位置ずれしないように傾斜周壁５の内側に配置できる特長がある。それは、以上の弁当容器が、インナー容器３には、複数に区画された収容部８を設けて、収容部８の外側には外周壁９を設け、さらに外周壁９の上端縁には、外側に突出する鍔部１０を設けて、この鍔部１０を、傾斜周壁５の上縁から下がった位置に配置して、その外周縁を箱本体１の傾斜周壁５の内面に接触し、あるいは接近する位置に配置し、さらにまた、紙箱には外側に化粧シート７を接着して、この化粧シート７を傾斜周壁５の外面から表面に沿って傾斜周壁５の上縁で折り返して内面まで伸びるように接着し、傾斜周壁５の内面に接着している化粧シート７の下縁に、インナー容器３の鍔部１０を係止して、インナー容器３が抜け出すのを阻止するからである。
【０００８】
さらに以上の弁当容器は、インナー容器３が外部に抜け出すのを阻止するのに、傾斜周壁５の内面に接着して化粧シート７を使用するので、インナー容器３の抜けを阻止するために、専用の部材を設ける必要がなく、さらに、傾斜周壁５の内面に接着している化粧シート７でもって、蓋２を開いた状態で露出する傾斜周壁５の内面をも美しい状態に化粧仕上げするので、傾斜周壁５の内面を塗装する等して化粧仕上げする必要がなく、安価に多量生産しながら、インナー容器３の抜けを防止し、さらに表面と内面の両方を化粧シート７で表面仕上げしてなる高品質な弁当容器にできる特長を実現する。
【０００９】
本考案の弁当容器は、インナー容器３をプラスチックシートを真空成形して製作することができる。さらに、本考案の弁当容器は、インナー容器３に区画壁１２を設けて、惣菜収容部８１と飯収容部８２とに区画することができる。さらに、本考案の弁当容器は、インナー容器３に設けている惣菜収容部８１と飯収容部８２の底面を箱本体１の底面に載せて、鍔部１０を傾斜周壁５の内面に接着してなる化粧シート７の下縁の係止位置に配置する構造とすることができる。
【図面の簡単な説明】
【００１０】
【図１】本考案の実施例に係る弁当容器の箱本体を示す斜視図である。
【図２】本考案の実施例に係る弁当容器の断面図である。
【図３】化粧シートの展開図である。
【図４】箱本体の展開図である。
【考案を実施するための最良の形態】
【００１１】
以下、本考案の実施例を図面に基づいて説明する。ただし、以下に示す実施例は、本考案の技術思想を具体化するための弁当容器を例示するものであって、本考案は弁当容器を以下のものに特定しない。
【００１２】
さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
【００１３】
図１の斜視図と図２の断面図に示す弁当容器は、四角形の箱本体１と蓋２とからなる紙箱と、この紙箱の内部に脱着自在にセットしているプラスチック製のインナー容器３とを備える。
【００１４】
箱本体１と蓋２は紙製で、箱本体１と蓋２は周囲に周壁５、６を設けている。周壁５、６は、のりしろを設けて隣の周壁５、６に連結され、あるいは表面に接着する化粧シート７を介して隣の周壁５、６に連結される。
【００１５】
箱本体１は、四角形の底板４の周囲に、上方開口部に向かって開口面積を大きくする方向に傾斜する傾斜周壁５を設けている。図の弁当容器は、箱本体１の底板４を正方形とするが、箱本体１の底板４を四角形には特定せず、例えば長方形や５角形などの多角形とすることもできる。
【００１６】
箱本体１は、傾斜周壁５の底板４に対する傾斜角を、たとえば直角よりも３度〜１０度大きい鈍角としている。また箱本体１は、傾斜周壁５の傾斜により、底板４が傾斜周壁５の上端すなわち開口面積よりも側面視で５ｍｍ〜１５ｍｍ、好ましくは約１０ｍｍ小さくなるように形成している。このように箱本体１を、下方に向かって断面積が小さくなるように傾斜周壁５を傾斜させたことで、複数の箱本体１を積み重ねる際、傾斜周壁５の傾斜に沿って重なり具合が適度に調整され、スタックさせ易い構造とできる。また、傾斜周壁５を若干傾斜させることで、外観上の見栄えも良くなる。箱本体１は、１枚のボール紙を底板４と傾斜周壁５との境界で折曲加工して製作される。蓋２は天板の周囲に傾斜しない垂直姿勢の周壁６を設けているが、蓋２も１枚のボール紙を天板と周壁６の境界で折曲加工して製作される。
【００１７】
箱本体１と蓋２は、外面に化粧シート７を接着している。化粧シート７は、表面を着色し、あるいは模様を印刷し、あるいは又表面に梨地加工などの凹凸模様を設けている紙である。好ましくは、紬の柄にエンボス加工した化粧シートを用いる。これにより、表面に和服のような紬の凹凸模様を配して、和風の味わいを演出できる。特に、紙製の安価な弁当容器としながらも、高級感を加えることが可能となる。また紬の柄をエンボス加工した化粧シートを、黒色や朱色とすることで、祭事感など、一層の和風テイストを演出できる。ただ、化粧シート７は紙に特定することなく、布や不織布などの可撓性のあるシート材も使用できる。箱本体１は、底板４と傾斜周壁５の外面の全体に化粧シート７を接着している。さらに箱本体１は、傾斜周壁５の内面の一部にも化粧シート７の内面接着部１１を接着している。傾斜周壁５の内面に接着している化粧シート７の内面接着部１１は、傾斜周壁５の外面に接着している化粧シート７を傾斜周壁５の上縁で折り返して接着される。
【００１８】
図３は、箱本体１に接着する化粧シート７の展開図を示している。この化粧シート７は、底板４の外面に接着する底接着部１３と、傾斜周壁５の外面に接着する外面接着部１４と、傾斜周壁５の内面に接着する内面接着部１１とを設けている。底接着部１３は底板４表面に接着されるので、底板４の外形に等しく、外面接着部１４は傾斜周壁５の外形に等しい。外面接着部１４は両端にノリシロ１５を設けている。ノリシロ１５のある化粧シート７が接着される箱本体１の展開図を図５に示す。この展開図に示す箱本体１は、傾斜周壁５の両端にノリシロを設けることない。化粧シート７のノリシロ１５を隣の傾斜周壁５に接着して、傾斜周壁５を連結できるからである。
【００１９】
内面接着部１１の横幅（Ｗ）は、傾斜周壁５に接着される化粧シート７の上下幅を特定する。傾斜周壁５の内面に接着される化粧シート７の内面接着部１１の横幅（Ｗ）は、たとえば傾斜周壁の高さの２０％〜４０％とする。たとえば（Ｈ）の高さを約４．５ｃｍとする傾斜周壁５において、内面接着部１１の横幅（Ｗ）を約１．５ｃｍとする。内面接着部１１の上下幅は、後述するインナー容器３の上縁の鍔部１０の位置を特定するので、内面接着部１１の横幅（Ｗ）は、傾斜周壁５の高さや、収納量を考慮して最適値に設定される。
【００２０】
化粧シート７は、内面接着部１１の両端部を、隣接する傾斜周壁５との境界部分の内面、すなわち傾斜周壁５のコーナー部で積層し、多層に接着して厚くすることで、インナー容器３の鍔部１０により確実に係止して抜けを防止できる。インナー容器３の鍔部１０が、積層して厚く接着している化粧シート７に隅部を係止して、抜けが防止されるからである。
【００２１】
図３の展開図に示す化粧シート７は、内面接着部１１の両端部に、接着する傾斜周壁５の両端縁から突出する突出部１６を設けて、この突出部１６を積層して、傾斜周壁５のコーナー部の内面に接着する。図３の展開図において、内面接着部１１が傾斜周壁５に接着される境界線を鎖線（Ａ）で示している。鎖線（Ａ）で示す境界線よりも内側が傾斜周壁５の内面に接着され、境界線（Ａ）から外側の突出部１６は隣の傾斜周壁５の内面に積層して接着される。傾斜周壁５は上方に向かって次第に長手方向の寸法（Ｌ）が広くなるので、内面接着部１１が傾斜周壁５の内面に接着される領域は、内面接着部１１の外側縁に向かって長手方向の寸法、縦幅（Ｄ）が次第に狭くなる。図３の展開図に示す化粧シート７は、内面接着部１１の縦幅（Ｄ）を、外側縁に向かって次第に広くして、境界線（Ａ）から外側に突出部１６を設けている。突出部１６は、隣接する傾斜周壁５のコーナー部に積層して接着されて、インナー容器３に設けている鍔部１０の隅部をより確実に係止する。
【００２２】
図３の展開図に示す化粧シート７は、内面接着部１１の縦幅（Ｄ）を、外側縁に向かって次第に広くして突出部１６を設けているが、化粧シート７は、内面接着部１１の縦幅（Ｄ）を外側縁に向かって大きくすることなく、同じ幅として境界線の外側に突出部１６を設けることもできる。図３の鎖線で示すように、内面接着部１１両端の境界線が、外側縁に向かって次第に接近して狭くなるからである。
【００２３】
蓋２は、天板と周壁６の外面に接着している化粧シート７を、周壁６の内面にも接着している。天板の内面は塗装し、あるいは別の化粧シート７を接着して表面仕上げしている。
【００２４】
インナー容器３は、プラスチックシートの真空成形して製造される。このインナー容器３は、複数に区画された収容部８を有すると共に、外周縁に沿って外周壁９を有し、この外周壁９の上端縁に沿って、外側に水平姿勢で突出する鍔部１０を設けている。鍔部１０は、その外周縁を、傾斜周壁５の上縁から下がった位置であって、傾斜周壁５の内側に接着された内面接着部１１下縁の係止位置に配置している。さらに鍔部１０は、係止位置において、その外周縁を傾斜周壁５の内面に接触し、あるいは接近する位置に配置している。すなわち、鍔部１０は、その外周縁の一部あるいは全体を、傾斜周壁５の内面に接着している内面接着部１１の下縁を係止する位置に配置して、インナー容器３が箱本体１から抜け出すのを防止している。
【００２５】
インナー容器３は、外側に沿って外周壁９を設け、外周壁９の内側には区画壁１２を設けて、内部を複数の収容部８に区画している。複数の収容部８は、惣菜収容部８１と飯収容部８２とからなる。図のインナー容器３は、複数の惣菜収容部８１を設けている。外周壁９は傾斜周壁５と同じ角度で傾斜し、あるいは図示しないが垂直姿勢として、その上端縁を外側に水平方向に折曲する形状として鍔部１０を設けている。鍔部１０は水平面内に位置し、その外周縁を化粧シート７の内面に接着している内面接着部１１の下縁への係止位置に配置している。このインナー容器３は、箱本体１にセットされる状態で、惣菜収容部８１と飯収容部８２の底面を箱本体１の底面に載せて、鍔部１０を傾斜周壁５の内面に接着している化粧シート７の内面接着部１１下縁の係止位置に配置させる。
【産業上の利用可能性】
【００２６】
本考案の弁当容器は、プラスチック製のインナー容器を箱本体にセットして、インナー容器に種々の惣菜や飯を入れて綺麗な紙箱として有効に使用できる。
【符号の説明】
【００２７】
１…箱本体
２…蓋
３…インナー容器
４…底板
５…傾斜周壁
６…周壁
７…化粧シート
８…収容部
８１…惣菜収容部
８２…飯収容部
９…外周壁
１０…鍔部
１１…内面接着部
１２…区画壁
１３…底接着部
１４…外面接着部
１５…ノリシロ
１６…突出部
【図１】
0003208520.tif 000003
【図２】
0003208520.tif 000004
【図３】
0003208520.tif 000005
【図４】
0003208520.tif 000006
【手続補正書】
【提出日】平成28年11月10日(2016.11.10)
【手続補正１】
【補正対象書類名】実用新案登録請求の範囲
【補正対象項目名】全文
【補正方法】変更
【補正の内容】
【実用新案登録請求の範囲】
【請求項１】
多角形の箱本体１と蓋２とからなる紙箱と、この紙箱の内部に脱着自在にセットしてなるプラスチック製のインナー容器３とを備える弁当容器であって、
前記箱本体１が、底板４の周囲に、上方開口部に向かって開口面積を大きくする方向に傾斜してなる傾斜周壁５を有すると共に、前記底板４と傾斜周壁５の外面に化粧シート７を接着しており、
前記インナー容器３は、複数に区画された収容部８を有すると共に、外周縁に沿って外周壁９を有し、さらに、前記外周壁９の上端縁には、外側に水平姿勢で突出する鍔部１０を有し、
前記鍔部１０は、前記傾斜周壁５の上縁から下がった位置であって、その外周縁を前記箱本体１の傾斜周壁５の内面に接触し、あるいは接近する位置に配置しており、
前記化粧シート７は、前記傾斜周壁５の外面から表面に沿って前記傾斜周壁５の上縁で折り返されて、前記傾斜周壁５の外側から内面まで伸びて接着され、
前記傾斜周壁５の内面に接着してなる化粧シート７の下縁は、前記インナー容器３に設けてなる前記鍔部１０の係止位置に配置され、
前記インナー容器３の前記鍔部１０が、前記傾斜周壁５の内面に接着してなる前記化粧シート７の下縁に係止されて抜け落ちるのが阻止されるようにしてなる弁当容器。
【請求項２】
請求項１に記載される弁当容器であって、
前記インナー容器３が、プラスチックシートの真空成形してなることを特徴とする弁当容器。
【請求項３】
請求項１又は２に記載される弁当容器であって、
前記インナー容器３が、区画壁１２でもって惣菜収容部と飯収容部とに区画してなることを特徴とする弁当容器。
【請求項４】
請求項３に記載される弁当容器であって、
前記インナー容器３が、前記惣菜収容部と前記飯収容部の底面を箱本体１の底面に載せて、前記鍔部１０を前記傾斜周壁５の内面に接着してなる化粧シート７の下縁の係止位置に配置してなることを特徴とする弁当容器。